【手続補正書】
【提出日】平成17年12月21日(2005.12.21)
【手続補正１】
【補正対象書類名】明細書
【補正対象項目名】特許請求の範囲
【補正方法】変更
【補正の内容】
【特許請求の範囲】
【請求項１】  負荷加重を与えるサスペンションアームにより支持されると共に記録媒体との相対運動により浮上力を得、前記負荷加重と前記浮上力との均衡により記録媒体との間に隙間をつくるスライダーと、
当該スライダーから延出し、その端部に微小突起または微小開口を有するカンチレバーと、を備え、
前記スライダーが浮上して傾くことで、前記微小突起または前記微小開口を前記記録媒体に接触させることを特徴とする近視野光学ヘッド。
【請求項２】  負荷加重を与えるサスペンションアームにより支持されると共に記録媒体との相対運動により浮上力を得、前記負荷加重と前記浮上力との均衡により記録媒体との間に隙間をつくるスライダーと、
微小突起または微小開口を有し、前記スライダーが記録媒体に接触状態にあるときは前記微小突起または前記微小開口が記録媒体に非接触状態になるように前記スライダーから延出したカンチレバーと、を備え、
前記スライダーが浮上して傾いたとき、前記微小突起または前記微小開口が前記記録媒体に接触することを特徴とする近視野光学ヘッド。
【請求項３】  負荷加重を与えるサスペンションアームにより支持されると共に記録媒体との相対運動により浮上力を得、前記負荷加重と前記浮上力との均衡により記録媒体との間に隙間をつくるスライダーと、
端部に微小突起または微小開口を有し、スライダーから延出すると共に前記微小突起または前記微小開口とスライダー底面との間に高低差を設けたカンチレバーと、を備え、
前記スライダーが浮上して傾いたとき、前記微小突起または前記微小開口が前記記録媒体に接触することを特徴とする近視野光学ヘッド。
【請求項４】  負荷加重を与えるサスペンションアームにより支持されると共に記録媒体との相対運動により浮上力を得、前記負荷加重と前記浮上力との均衡により記録媒体との間に隙間をつくるスライダーと、
当該スライダーから延出し、その端部に微小突起または微小開口を有するカンチレバーと、
前記スライダーを前記記録媒体に対して垂直方向に移動させる移動機構と、
を備え、
前記移動機構により前記スライダーが前記記録媒体に接近して浮上したとき、前記微小突起または前記微小開口が前記記録媒体に接触することを特徴とする近視野光学ヘッド。
【請求項５】  負荷加重を与えるサスペンションアームにより支持されると共に記録媒体との相対運動により浮上力を得、前記負荷加重と前記浮上力との均衡により記録媒体との間に隙間をつくるスライダーと、
前記スライダーを前記記録媒体に対して垂直方向に移動させる移動機構と、
微小突起または微小開口を有し、前記スライダーが記録媒体から離れた状態にあるときは前記微小突起または前記微小開口が記録媒体に非接触状態になるように前記スライダーから延出したカンチレバーと、
を備え、
前記スライダーが前記記録媒体に接近して浮上したとき、前記微小突起または前記微小開口が前記記録媒体に接触することを特徴とする近視野光学ヘッド。
【請求項６】  前記微小開口を、カンチレバーの端部に設けたコンタクトパッドに形成したことを特徴とする請求項１〜５のいずれか１つに記載の近視野光学ヘッド。
【請求項７】  前記微小突起または前記微小開口を複数設け、分光器を用いて照射光を分光し、当該分光光を前記各微小突起または前記微小開口に対応する記録媒体部分に照射するようにしたことを特徴とする請求項１〜６のいずれか１つに記載の近視野光学ヘッド。
【手続補正２】
【補正対象書類名】明細書
【補正対象項目名】００３４
【補正方法】変更
【補正の内容】
【００３４】
照明光は、分光器４７により、λ１〜λ４の波長を持つ光に分割する。分光した各波長の光は、記録媒体４４の裏面であって前記各チップ４３に対応する部分に照射される。なお、分光器４７には、例えばグレーティングや三角プリズムなどを用いる。光学フィルタアレイ４８は、波長λ１〜λ４の波長成分を持つ光のみを透過させる。このため、各受光素子は、各チップ４３に対応する散乱光のみを受光できる。以上のように、分光器４７を用いてマルチヘッドを構成すれば、各チップ毎に光源を設置する必要がないので、比較的コンパクトにまとめることができる。
（実施の形態４）
以上に述べた実施例は、スライダーが浮上して傾くことで先鋭なチップやコンタクトパッドが記録媒体に接触し、スライダーが浮上せず停止している場合にはチップやコンタクトパッドは記録媒体から離れていた。このチップやコンタクトパッドの記録媒体への接触・非接触を制御する方法には、スライダーの浮上による傾きを利用するだけではなく、他の方法によっても可能である。
図９は、この発明の実施の形態４に係る近視野光学ヘッドを示す概略構成図である。この実施の形態４に係る近視野光学ヘッド３００は、サスペンションアーム５０を記録媒体４に対して垂直方向に移動させるｚ方向移動機構５２を設けた点に特徴がある。その他の構成は実施の形態１の近視野光学ヘッド１００と同様であるので、当該構成の説明は省略する。
次に、この近視野光学ヘッド３００の動作について説明する。記録媒体４が回転している場合には、ｚ方向移動機構５２により、サスペンションアーム５０につながるスライダー６１が記録媒体４に接近した状態となり、実施の形態１と同様にスライダー６１は浮上する。このとき、スライダー６１から延びたカンチレバー６２の先端に設けたチップ６３は、チップ６３とスライダー６１の底面との間に高低差を設けて、記録媒体４に必ず接触するようにしている。ただし、カンチレバー６２のバネ定数が十分柔らかいので、チップ６３が破壊されることはない。
また、記録媒体４が回転していない場合、ｚ方向移動機構５２により、サスペンションアーム５０につながるスライダー６１が記録媒体４から離れた状態となり、チップ６３やスライダー６１は記録媒体４から離れる。そのため、チップ６３やスライダー６１は記録媒体４と吸着することがなくなる。
このように、ｚ方向移動機構によりチップ６３の記録媒体への接触・非接触を制御することができる。その結果、スライダー６１の浮上時には実施の形態１で示したと同様に、チップ６３を破壊することなく接触した状態を保つことができる。また、停止時には、スライダー６１やチップ６３を記録媒体４から離した状態に保つことができるため、スライダー６１やチップ６３の記録媒体４への吸着や破壊を防止することができる。
ここで、近視野光学ヘッド３００としては、チップ６３がカンチレバー６２先端近傍に形成されている場合だけではなく、実施の形態２に示したように、チップ６３の代わりにコンタクトパッドが形成されていても良いことは言うまでもない。
また、サスペンションアーム５０を記録媒体４に対して垂直に移動させるｚ方向移動機構５２として、図１０に示すように、スライダー６１が回転軸５１を中心に記録媒体４の半径方向に移動した場合、ガイドなどにより垂直方向にも移動する機構であっても良い。例えば、スライダー６１が記録媒体４から半径方向に離れた場合（実線の状態）、スライダー６１はガイド６４により記録媒体４から垂直方向に離れる。逆に、スライダー６１が記録媒体４の半径方向に近づいた場合（点線の状態）、スライダー６１はガイド６４により記録媒体４に垂直方向に接近する。
【手続補正３】
【補正対象書類名】明細書
【補正対象項目名】図面の簡単な説明
【補正方法】変更
【補正の内容】
【図面の簡単な説明】              
【図１】
この発明の実施の形態１による近視野光学ヘッドを示す概略構成図である。
【図２】
記録媒体が回転していない状態を示す説明図である。
【図３】
チップのコンタクト状態を示す説明図である。
【図４】
チップのコンタクト状態を示す説明図である。
【図５】
この発明の実施の形態２に係る近視野光学ヘッドを示す概略構成図である。
【図６】
図５に示した微小開口を示す拡大断面図である。
【図７】
ヘッドをマルチ化した場合の構成例を示す概略構成図である。
【図８】
この発明の実施の形態３に係る近視野光学ヘッドを示す概略構成図である。
【図９】
この発明の実施の形態４に係る近視野光学ヘッドを示す概略構成図である。
【図１０】
この発明の実施の形態４に係る近視野光学ヘッドの水平方向の動きを示す概略構成図である。
【符号の説明】
１００  近視野光学ヘッド
１      スライダー
１ａ    テーパ
１ｂ    スライダー底面
１ｃ    流路
２      カンチレバー
３      チップ
４      記録媒体
５      集光レンズ
６      受光素子
７      光
９      記録ビット
１０    空気
１１    散乱光
１２    吸着層
２００  近視野光学ヘッド
２１    スライダー
２２    カンチレバー
２３    コンタクトパッド
２４    微小開口
２５    開口部
３１    コンタクトパッド
３２    微小開口
３３    開口部
３４    記録媒体
３５    光
３６    ビット
４２    カンチレバー
４３    チップ
４４    記録媒体
４５    レンズアレイ
４６    受光素子アレイ
４７    分光器
４８    フィルターアレイ
３００  近視野光学ヘッド
５０    サスペンションアーム
５１    回転軸
５２    ｚ方向移動機構
６１    スライダー
６２    カンチレバー
６３    チップ
６４    ガイド